(57)【要約】利用可能な公衆移動通信網（ＰＬＭＮ）を求めてスキャンを行う間にセル選択基準Ｓを評価することにより、ユーザ装置（ＵＥ）は適切なセルのないＰＬＭＮを選択しないようにすることができる。これにより、ユーザ装置（ＵＥ）はネットワークサービスの中断を回避できる。ＰＬＭＮ選択過程の間に読み込まれた、または、ＰＬＭＮ選択過程の前にローカルメモリーに記憶された、セルパラメータに基づいて、セル選択基準を評価することができる。ＰＬＭＮスキャンに必要な時間とＵＥの電力消費を低減することができる。
2008543136.tif 000002
【特許請求の範囲】
【請求項１】
複数の利用可能な公衆移動通信網（ＰＬＭＮ）の中から選択を行うユーザ装置の方法であって、各ＰＬＭＮは少なくとも一つのセルを備え、
利用可能なＰＬＭＮを求めてスキャンするステップと、
利用可能なＰＬＭＮを取り出すステップと、
前記取り出された利用可能なＰＬＭＮにおいて、少なくとも一つのセルのシステム情報を読み取るステップと、
前記読み込まれたシステム情報に基づきセル選択基準を評価するステップと、
残っている利用可能なＰＬＭＮのために、前記取り出しステップ、前記読み込みステップ、前記評価ステップを繰り返すステップと、
最も優先度が高く前記選択基準を満たすセルを有する利用可能なＰＬＭＮを選択するステップと、
を含む方法。
【請求項２】
前記最も優先度が高く前記選択基準を満たすセルを有する利用可能なＰＬＭＮの選択の後、更に前記選択されたＰＬＭＮにおけるセルを探すステップを含む、請求項１に記載の方法。
【請求項３】
ランダムアクセスチャネル上の前記セルへアクセスするために、前記システム情報に、前記セルの最小要求品質レベルと、前記セルの最小要求受信レベルと、最大送信電力レベルとが含まれることを特徴とする、請求項１に記載の方法。
【請求項４】
前記利用可能なＰＬＭＮを求めてスキャンするステップに、利用可能なＰＬＭＮのリストを決定するステップが含まれ、前記取り出された利用可能なＰＬＭＮにおいて前記少なくとも一つのセルが前記セル選択基準を満たさない場合、前記取り出された利用可能なＰＬＭＮを前記リストから削除するステップが、前記評価ステップに含まれることを特徴とする、請求項１に記載の方法。
【請求項５】
前記利用可能なＰＬＭＮを求めてスキャンするステップを実行する前に、前記システム情報がメモリーに記憶され、前記メモリーから前記システム情報を読み取るステップが、前記読み込みステップに含まれることを特徴とする、請求項１に記載の方法。
【請求項６】
前記システム情報が各々のＰＬＭＮに従って、絶対無線周波数チャネル番号と主要スクランブルコードの少なくとも一つ以上とともに、前記システム情報が前記メモリーに記憶されることを特徴とする、請求項５に記載の方法。
【請求項７】
前記メモリーに記憶された前記システム情報が、ある所定の時間経過後削除されるか、またはファーストイン・ファーストアウト（ＦＩＦＯ）により記憶処理されることを特徴とする、請求項５に記載の方法。
【請求項８】
複数の利用可能な公衆移動通信網（ＰＬＭＮ）の中から選択を行うためのユーザ装置の機器であって、各ＰＬＭＮは少なくとも一つのセルを備え、
利用可能なＰＬＭＮを求めてスキャンし、
利用可能なＰＬＭＮを取り出し、
前記取り出された利用可能なＰＬＭＮにおいて、少なくとも一つのセルのシステム情報を読み込み、
前記読み込まれたシステム情報に基づきセル選択基準を評価し、
残っている利用可能なＰＬＭＮのために、前記取り出しステップ、前記読み込みステップ、前記評価ステップを繰り返し、
最も優先度が高く前記選択基準を満たすセルを有する利用可能なＰＬＭＮを選択する、
プロセッサを含むことを特徴とする機器。
【請求項９】
前記最も優先度が高く前記選択基準を満たすセルを有する利用可能なＰＬＭＮが選択された後、更に、前記プロセッサが前記選択されたＰＬＭＮにおけるセルを探すことを特徴とする、請求項８に記載の機器。
【請求項１０】
ランダムアクセスチャネル上の前記セルへアクセスするために、前記システム情報に、前記セルの最小要求品質レベル、前記セルの最小要求受信レベル、および最大送信電力レベルが含まれることを特徴とする、請求項８に記載の機器。
【請求項１１】
前記プロセッサが、利用可能なＰＬＭＮを求めてスキャンし、利用可能なＰＬＭＮのリストを決定し、また前記取り出された利用可能なＰＬＭＮにおいて前記少なくとも一つのセルが前記セル選択基準を満たさない場合、前記リストから前記取り出された利用可能なＰＬＭＮを削除するために、前記セル基準を評価することを特徴とする、請求項８に記載の機器。
【請求項１２】
前記プロセッサが、前記利用可能なＰＬＭＮを求めてスキャンする前に、前記システム情報がメモリーに記憶し、前記メモリーから前記システム情報を読み取ることを特徴とする、請求項８に記載の機器。
【請求項１３】
前記システム情報が各々のＰＬＭＮに従って、絶対無線周波数チャネル番号と主要スクランブルコードの少なくとも一つ以上とともに、前記システム情報が前記メモリーに記憶することを特徴とする、請求項１２に記載の機器。
【請求項１４】
前記プロセッサが、前記メモリーに記憶された前記システム情報を、ある所定の時間経過後削除するか、またはファーストイン・ファーストアウト（ＦＩＦＯ）により記憶処理することを特徴とする、請求項１２に記載の機器。
【請求項１５】
複数の利用可能な公衆移動通信網（ＰＬＭＮ）の中から選択を受信機に行わせるためのコンピュータプログラムを含むコンピュータ可読の記憶媒体であって、各ＰＬＭＮは少なくとも一つのセルを備え、該コンピュータプログラムが、
利用可能なＰＬＭＮを求めてスキャンするステップと、
利用可能なＰＬＭＮを取り出すステップと、
前記取り出された利用可能なＰＬＭＮにおいて、少なくとも一つのセルのシステム情報を読み取るステップと、
前記読み込まれたシステム情報に基づきセル選択基準を評価するステップと、
残っている利用可能なＰＬＭＮのために、前記取り出しステップ、前記読み込みステップ、前記評価ステップを繰り返すステップと、
最も優先度が高く前記選択基準を満たすセルを有する利用可能なＰＬＭＮを選択するステップと、
を履行することを特徴とするコンピュータ可読の記憶媒体。
【請求項１６】
前記最も優先度が高く前記選択基準を満たすセルを有する利用可能なＰＬＭＮの選択の後、更に前記選択されたＰＬＭＮにおけるセルを探すステップを、前記コンピュータプログラムが、更に履行することを特徴とする請求項１５に記載のコンピュータ可読の記憶媒体。
【請求項１７】
ランダムアクセスチャネル上の前記セルへアクセスするために、前記システム情報に、前記セルの最小要求品質レベル、前記セルの最小要求受信レベル、および最大送信電力レベルが含まれることを特徴とする、請求項１５に記載のコンピュータ可読の記憶媒体。
【請求項１８】
前記利用可能なＰＬＭＮを求めてスキャンするステップに、利用可能なＰＬＭＮのリストを決定するステップが含まれ、前記取り出された利用可能なＰＬＭＮにおいて前記少なくとも一つのセルが前記セル選択基準を満たさない場合、前記取り出された利用可能なＰＬＭＮを前記リストから削除するステップが、前記評価ステップに含まれることを特徴とする、請求項１５に記載のコンピュータ可読の記憶媒体。
【請求項１９】
前記利用可能なＰＬＭＮを求めてスキャンするステップを実行する前に、前記システム情報がメモリーに記憶され、前記メモリーから前記システム情報を読み取るステップが、前記読み込みステップに含まれることを特徴とする、請求項１５に記載のコンピュータ可読の記憶媒体。
【請求項２０】
前記システム情報が各々のＰＬＭＮに従って、絶対無線周波数チャネル番号と主要スクランブルコードの少なくとも一つ以上とともに、前記システム情報が前記メモリーに記憶されることを特徴とする、請求項１９に記載のコンピュータ可読の記憶媒体。
【請求項２１】
前記メモリーに記憶された前記システム情報が、ある所定の時間経過後削除されるか、またはファーストイン・ファーストアウト（ＦＩＦＯ）により記憶処理されることを特徴とする、請求項１９に記載のコンピュータ可読の記憶媒体。
【発明の詳細な説明】
【技術分野】
【０００１】
本発明は、無線通信システムに関する。より詳細には、無線通信システムにおけるネットワークの改善された選択に関する。
【背景技術】
【０００２】
移動電話機または移動局（ＭＳ）のようなユーザ装置（ＵＥ）が移動先の公衆移動通信網（ＶＰＬＭＮ）に登録されるときに、ＵＥはしばしば、より優先度の高いＰＬＭＮを求めて周期的に探索する。このことは、第３世代パートナーシッププロジェクト（３ＧＰＰ）技術仕様書（ＴＳ）２３．１２２の４，４，３．３節、アイドルモードにある移動局（ＭＳ）に関するノンアクセス階層（ＮＡＳ）機能、Ｖ６．４．０（リリース６号）およびＶ７．１．０（リリース７号）（２００５年３月）で説明されている。ここではリリース６号とリリース７号の仕様を引用するが、他の号を排除することを意図するものではない。米国特許出願公報Ｕ．Ｓ．２００２／０１１９７７４号、「ＰＬＭＮ選択の方法」（Ｍｅｔｈｏｄ  ｆｏｒ  ＰＬＭＮ  ｓｅｌｅｃｔｉｏｎ）、Ｙｏｈａｎｎｅｓｓｏｎ、ほか、は、ＵＥが、現在ＵＥにサービスを提供しているＰＬＭＮの基地局（ＢＳ）から現在ＭＳにサービスを提供しているＰＬＭＮを隣接させるネットワークに関するデータのリストを受信する方法を説明している。
【０００３】
ＵＥにサービスを提供すべき新しいＰＬＭＮは、このリストに基づいて選択することができる。
【０００４】
米国特許出願公報Ｕ．Ｓ．２００２／０２２４６８９号、「Ｍｅｔｈｏｄ  ｆｏｒ  ａ  Ｒａｄｉｏｔｅｌｅｐｈｏｎｅ  ｔｏ  ｓｃａｎ  ｓｃａｎ  ｆｏｒ  Ｈｉｇｈｅｒ  Ｐｒｉｏｒｉｔｙ  Ｐｕｂｌｉｃ  Ｌａｎｄ  Ｍｏｂｉｌｅ  Ｎｅｔｗｏｒｋ」（Ｒａｇｈｕｒａｍ他）は、より優先度の高いＰＬＭＮと無線電話機に使用、支持されている利用可能な周波数をスキャンして探す方法を説明している。
【０００５】
ＵＥは、典型的には、同一国内にＶＰＬＭＮとして優先度の高いＰＬＭＮが複数ある時だけ、より優先度の高いＰＬＭＮを求めてスキャンを行う。この過程において、ＵＥは、利用可能なＰＬＭＮのうちで最も高い優先度を持つＰＬＭＮを選択する。３ＧＰＰ  ＴＳ  ２５．３０４、ユーザ装置（ＵＥ）のアイドルモードにおける処理手順と接続モードにおけるセル再選択のための処理手順、Ｖ５．８．０（リリース５号）とＶ６．５．０（リリース６号）（２００５年３月）、によると、統合無線通信システム（ＵＭＴＳ）ユニバーサル地上無線アクセス（ＵＴＲＡ）周波数分割複信方式（ＦＤＤ）ＰＬＭＮに関し、「利用可能なＰＬＭＮ」とは、「ＵＥが少なくとも１つのセルを見いだしたＰＬＭＮで、そのＰＬＭＮの識別情報を読み取ったＰＬＭＮ」のことである。
【０００６】
利用可能なＰＬＭＮのうちで最も高い優先度を持つＰＬＭＮが選択されると、ＵＥは、現在のＶＰＬＭＮを離れて、この最も優先度の高いＰＬＭＮに属する適切なセルの探索を開始する。適切なＵＴＲＡネットワークセルであることの条件の１つは、受信した信号強度と品質に対する要求条件を設定する、セル選択基準Ｓを満足することである。ＵＴＲＡに対しては、セル選択基準は、３ＧＰＰ  ＴＳ  ２５．３０４の５．２．３．１．２節で定義されている。これによれば、ＦＤＤセルに対してはパラメータＳｒｘｌｅｖとＳｑｕａｌが零より大きいときに、また、時分割多重（ＴＤＤ）セルに対してはＳｒｘｌｅｖが零より大きいときにセル選択基準Ｓが満足される。その他の基準も、本発明の中で説明されている方法と装置に対して、用いることができることが理解されるであろう。これらの方法と装置は、例えば、３ＧＰＰ  ＴＳ  ４３．０２２、アイドルモードとグループ受信モードにある移動局（ＭＳ）に関する機能、（リリース７号）Ｖ７．１．０（２００５年６月）、の中で説明されているＵＴＲＡ以外の通信システムにも用いることができるということも理解されるであろう。
【０００７】
パラメータＳｒｘｌｅｖはセル選択受信レベル値（ｄＢにて表現）で、パラメータＳｒｘｌｅｖｍｉｎとパラメータＰｃｏｍｐｅｎｓａｔｉｏｎの和とパラメータＱｒｘｌｅｖｍｅａｓの差である。Ｑｒｘｌｅｖｍｅａｓは測定されたセル受信レベル値であり、それは、ＦＤＤセルに対しては共通パイロットチャンネル（ＣＰＩＣＨ）の上の受信信号コード電力（ＲＳＣＰ）（ｄＢｍ単位）であり、ＴＤＤセルに対しては第１次共通制御物理チャンネル（Ｐ−ＣＣＰＣＨ）の上のＲＳＣＰ（ｄＢｍ単位）である。Ｓｒｘｌｅｖｍｉｎは、セルの中での最小必要受信レベルである（ｄＢｍ単位）。Ｐｃｏｍｐｅｎｓａｔｉｏｎは、ｄＢで表現されたｍａｘ（ＵＥ＿ＴＸＰＷＲ＿ＭＡＸ＿ＲＡＣＨ−Ｐ＿ＭＡＸ，０）である。ＵＥ＿ＴＸＰＷＲ＿ＭＡＸ＿ＲＡＣＨは、ＵＥがランダムアクセスチャンネル（ＲＡＣＨ）の上でセルに接続しているときに使用し得る最大の送信電力レベル（システム情報の中で読み取る）（ｄＢｍ単位）である。Ｐ＿ＭＡＸはＵＥの無線周波数（ＲＦ）最大出力電力（ｄＢｍ単位）である。無論のことながら、本発明の中で示したパラメータには、このほかの測定単位も用いることができると理解されるであろう。
【０００８】
パラメータＳｑｕａｌは、ＦＤＤセルに対しては、セル選択品質値（ｄＢ単位）であり、これは、パラメータＱｑｕａｌｍｅａｓとパラメータＱｑｕａｌｍｉｎとの差（ｄＢ単位）である。パラメータＱｑｕａｌｍｅａｓは測定されたセル品質値であり、これは、ＦＤＤセルに対しては、ＣＰＩＣＨのＥｃ／Ｎ０（ｄＢ単位）で表現した受信信号の品質である。Ｑｑｕａｌｍｉｎは、ＦＤＤセルに対してはセルの中での最小必要品質レベル（ｄＢ単位）である。
【０００９】
上記で説明した動作に従えば、ＵＥは適切なセルの存在しないＰＬＭＮを選択するかも知れない。もしこのことが起こると、ＵＥは、サポートされているすべての周波数と無線接続技術（ＲＡＴ）を用いて、選択したＰＬＭＮに属するセルの探索を続けるであろう。
【００１０】
ＰＬＭＮは２つ以上の無線接続技術を支持してもよい。また、ＵＥはある特定のＰＬＭＮ（例えば、ＧＳＭ、ＵＭＴＳ、ＧＳＭ  ＣＯＭＰＡＣＴ、など）の選択をしようとするときに、どのような形の無線搬送波を探索のために用いるかを決定する。この探索が完了すると（しばしば、適切なセルが見いだせない場合がある）、ＵＥは他の利用可能なＰＬＭＮを選択する。もしＰＬＭＮが見いだされれば、このＰＬＭＮの上に適切なセルを見いだそうとする。典型的な道筋は、最初のＶＰＬＭＮが再び選択される。そして、ＵＥはその最初のＶＰＬＭＮの上に適切なセルを探し始める。
【発明の開示】
【発明が解決しようとする課題】
【００１１】
この動作の結果、利用可能なＰＬＭＮが選択されてからＵＥがＶＰＬＭＮの上の最初のセルに戻るまで、ＵＥは、通常のネットワークサービス（例えば、音声呼の入出力）を得ることができない場合がある。さらに、ＵＥは、適切なセルの探索とＰＬＭＮのスキャンを実行するのに、相当に大きなエネルギーを費やすが、これは、ユーザにとってもネットワーク側にとっても、利点はない。さらに、時には、実際にはそのＶＰＬＭＮが利用できるにもかかわらず、ＵＥはそこがカバーされていないように振る舞うので、ユーザは実際のネットワークのカバーよりも悪く感じてしまうであろう
【課題を解決するための手段】
【００１２】
ＰＬＭＮのスキャンを行う間にセル選択基準Ｓの評価（前記セル選択基準を満足しているかどうかの評価）を行うことにより、適切なセルのないＰＬＭＮを選択することなく、ネットワークのサービスの中断を回避することができる。セルパラメータをＵＥの中に記憶することにより、ＵＥはＰＬＭＮスキャンの間は報知される情報の受信を回避することができるので、ＰＬＭＮのスキャンに必要な時間を低減することも可能である。それにより、ＵＥの電力消費を低減することができる。
【００１３】
本発明の１つの視点に従えば、利用可能なＰＬＭＮのうちから１つのＰＬＭＮを選択するための方法がＵＥに提供される。ここで、それぞれのＰＬＭＮはすくなくとも１つのセルを含む。この方法は、利用可能なＰＬＭＮを求めてスキャンするステップと、利用可能な１つのＰＬＭＮを取り出すステップと、取り出したＰＬＭＮの中の少なくとも１つのセルのシステム情報を読み取るステップと、読み取ったシステム情報をもとにセル選択基準を評価するステップと、残った利用可能なＰＬＭＮに対して、セルの取り出しとシステム情報の読み取りとセル選択基準の評価のステップとを繰り返すステップと、最も高い優先度を持ち、かつ、セル選択基準を満足するセルを持つＰＬＭＮを選択するステップとを含む。
【００１４】
本発明の他の視点に従えば、利用可能なＰＬＭＮのうちから１つのＰＬＭＮを選択するための装置がＵＥの中に提供される。ここで、それぞれのＰＬＭＮはすくなくとも１つのセルを含む。この装置は、利用可能なＰＬＭＮを求めてスキャンを行い、利用可能な１つのＰＬＭＮを取り出し、取り出したＰＬＭＮの中の少なくとも１つのセルのシステム情報を読み取り、読み取ったシステム情報をもとにセル選択基準を評価し、残った利用可能なＰＬＭＮに対して、セルの取り出しとシステム情報の読み取りとセル選択基準の評価のステップとを繰り返し、最も高い優先度を持ち、かつ、セル選択基準を満足するセルを持つＰＬＭＮを選択するように設定されたプロセッサを含む。
【００１５】
本発明のさらなる視点に従えば、利用可能なＰＬＭＮのうちから１つのＰＬＭＮを、受信機が選択できるようにするためのコンピュータプログラムを有するコンピュータで読み取り可能な記憶媒体が提供される。ここで、おのおののＰＬＭＮはすくなくとも１つのセルを含む。コンピュータプログラムは、利用可能なＰＬＭＮを求めてスキャンを行うステップと、利用可能な１つのＰＬＭＮを取り出すステップと、取り出したＰＬＭＮの中の少なくとも１つのセルのシステム情報を読み取るステップと、読み取ったシステム情報をもとにセル選択基準を評価するステップと、残った利用可能なＰＬＭＮに対して、セルの取り出しとシステム情報の読み取りとセル選択基準の評価のステップとを繰り返すステップと、最も高い優先度を持ち、かつ、セル選択基準を満足するセルを持つＰＬＭＮを選択するステップとを実行する。
【発明を実施するための最良の形態】
【００１６】
本発明のいくつかの特徴、目的、および利点は、添付の図面とともに、本説明を読むことによって理解できるであろう。
【００１７】
図１は、複数のＰＬＭＮ、１０２ａ、１０２ｂ、１０２ｃを有する、典型的な通信ネットワーク１００を示す。図１では、ＰＬＭＮ１０２は互いに地理的に重複していないように描かれている。しかし、これは、単にわかり易くするためであって、ＰＬＭＮは地理的な範囲を変化して重複をすることもあり得ると理解される。従来の公衆電話網（ＰＳＴＮ）１０４は、それぞれの関門移動交換局（ＧＭＳＣ）１０６ａ、１０６ｂ、１０６ｃを通してＰＬＭＮと接続される。ＰＬＭＮ、１０２ａ、１０２ｂ、１０２ｃは、それぞれ個々にホームロケーションレジスタ（ＨＬＲ）、１０８ａ、１０８ｂ、１０８ｃと関門位置レジスタ（ゲートウェイロケーションレジスタ）（ＧＬＲ）、１１０ａ、１１０ｂ、１１０ｃを有する。ＨＬＲは加入者データを保持し、ユーザ装置（ＵＥ）の現在位置を追尾し続ける。ユーザ装置（ＵＥ）とは、ＰＬＭＮの移動加入者のユーザ装置（ＵＥ）であり、例えば、１１２ａ、１１２ｂ、１１２ｃで示される移動電話機、または、移動端末である。それぞれのＧＬＲは、他のネットワークに関連した移動加入者、すなわち、他のネットワークからそれぞれのＰＬＭＮに「移動先の（Ｖｉｓｉｔｉｎｇ）」ＵＥの加入者データを保持している。
【００１８】
明確にするために以下の説明を加える。もし、ＵＥ１１２ａがＰＬＭＮ１０２ａに加入しているとすれば、ＰＬＭＮ１０２ａはＵＥ１１２ａの「ホームＰＬＭＮ」と呼ばれる。一般に、ホームＰＬＭＮとは、ＰＬＭＮ識別情報の移動国コード（ＭＣＣ）と移動ネットワークコード（ＭＮＣ）がＵＥのＭＣＣとＭＮＣに一致するＰＬＭＮのことをいう。もし、ＵＥ１１２ａが他のＰＬＭＮ１０２ｂ、１０２ｃへローミングで移動して行くと、それらのＰＬＭＮはＶＰＬＭＮと呼ばれる。ＵＥにサービスを提供するＰＬＭＮはＵＥの「サービス提供ＰＬＭＮ」と呼ばれる。ＵＥが自分のホームＰＬＭＮから他のＰＬＭＮがサービスを提供する地理的エリアに移動して行くときは、ＵＥは、それぞれのＶＰＬＭＮの移動先の移動交換センタ（ＶｉｓｉｔｅｄＭＳＣ）１１８ａ、１１８ｂ、１１８ｃに対して位置登録の手続きを開始する。ＶＭＳＣはローミングを行っている移動加入者の位置情報を、ＧＬＲを通してＨＬＲに伝える。例えば、ＵＥ１１２ａが、ＰＬＭＮ１０２ｂによってサービスが提供されている地理的エリアに入ったとすると、ＵＥ１１２ａはＶＭＳＣ１１８ｂとＧＬＲ１１０ｂに登録し、ＶＭＳＣ１１８ｂとＧＬＲ１１０ｂは、ＵＥ１１２ａの現在位置をＨＬＲ１０８ａに伝える。
【００１９】
図１に描かれた要素と構成は、例であって、実際の通信ネットワークの要素と構成を限定するものではないことを当業者は理解するであろう。
【００２０】
それぞれのＰＬＭＮは、複数のＵＥと通信できるように、対応した数の基地局を有する（図１には示されていない）。上記で説明したように、現在の通信システム標準のもとでは、ＵＥはより良いＰＬＭＮを求めて、あるＰＬＭＮから他のＰＬＭＮへ移動または所定の時間間隔の経過に関わる基準に基づいてスキャンを行う。
【００２１】
図２は、ＰＬＭＮ１０２を描いている。これは、例えば、ＷＣＤＭＡ通信システムのネットワークであってもよい。無線ネットワーク制御装置（ＲＮＣ）２０２ａ、２０２ｂは、例えば、無線アクセスベアラの設定、ダイバーシティーハンドオーバー、などを含む種々の無線ネットワーク機能を制御する。より一般的には、それぞれのＲＮＣは、ダウンリンク（すなわち、基地局から移動局へ、または前方向へ）チャンネルとアップリンク（すなわち、移動局から基地局へ、または逆方向へ）チャンネルを通してＵＥ１１２ｃ、１１２ｄと通信を行う、対応したＢＳを介してＵＥの呼を管理する。図では、ＲＮＣ２０２ａはＢＳ２０４ａ、２０４ｂ、２０４ｃと接続され、ＲＮＣ２０２ｂはＢＳ２０４ｄ、２０４ｅ、２０４ｆと接続されている。それぞれのＢＳは、３ＧＰＰの用語ではノードＢと呼ばれ、１つ以上のセルに分割することのできる地理的エリアでサービスを提供している。ＢＳ２０４ｆは５個のアンテナセクタＳ１〜Ｓ５を持つかたちで示されている。５個のアンテナセクタのうちの、すべて、またはいくつかはＢＳ２０４ｆのセルを構成しているということができる。ＢＳは、対応したＲＮＣと専用電話回線、光ファイバリンク、マイクロ波リンク、などにより結合されている。上記で説明したように、２つのＲＮＣ２０２ａと２０２ｂは、ＭＳＣ、および／または、パケット無線サービスノード（図には示されていない）のような、コアネットワークノードを通して、ＰＳＴＮ、インターネット、などのような外部のネットワークに接続されている。
【００２２】
多くのＰＬＭＮでは、それぞれのＢＳは、事前に決められたパイロットシンボルを、ＵＥのダウンリンク物理チャンネル（ＤＰＣＨ）とＣＰＩＣＨの上で送信する。ＵＥは、ＢＳへの無線チャンネルのインパルス応答、およびセルの信号対雑音比（ＳＮＲ）を推定するのに、典型的には、ＤＰＣＨ、および／または、ＣＰＩＣＨを用いる。
【００２３】
図３は、無線リンクを通してＰＬＭＮ１０２のＢＳ２０４と通信するＵＥ１１２を描いている。ＢＳ２０４からＵＥ１１２へ送信される情報は、ＵＥ１１２をしてＰＬＭＮの選択を可能にし、その情報は、ＵＥ内部の適当なメモリーに記憶されてもよい。情報は、例えばサービスを提供するＰＬＭＮにＵＥが登録をしている間に、ＢＳ２０４によって、適当な報知チャンネルの上で送信されてもよいし、または、ＵＥ１１２に選択的に送信されてもよい。この情報は、隣接するＰＬＭＮの識別情報に加えて、現在サービスを提供しているセルに隣接するセル（同じＰＬＭＮ内のセル）の識別コード、また、例えばＵＭＴＳネットワークの中でＰＬＭＮ選択に用いられるＲＡＴＳ情報、および、ＰＬＭＮ１０２の近傍に位置する国のＭＣＣを含んでもよい。
【００２４】
さらに、ＵＥ１１２は、１つ以上のプログラム可能なプロセッサ３０２、または、１つ以上のメモリー３０４、３０６に記憶された情報を処理する適当な論理、を有する。下記でより詳しく説明するように、記憶される情報は、１つ以上のセルのシステム情報、利用可能で隣接するＰＬＭＮのリストを有してもよい。このＰＬＭＮのリストは、利用可能でよりよいＰＬＭＮあれば、プロセッサ３０２がそれを選択して決定するのに用いることができる。プロセッサ３０２は、その動作を容易にするために、典型的には、タイマーなどを有するのがよい。トランシーバ（ＴＲＸ）回路３０８は、ＤＰＣＨ、ＤＰＩＣＨ、および同様な信号の受信と送信とを、ＵＥ１１２とＢＳ２０４との間のリンク上で行う。同様に、適当なトランシーバ回路がＢＳ２０４の中にも設けられる。
ＰＬＭＮスキャンの間のセル選択基準の評価
ＵＥの中で行われる従来のＰＬＭＮ選択の手順を簡単に説明すると以下のようになる。
【００２５】
利用可能なＰＬＭＮを求めてスキャンを行う、
利用可能なＰＬＭＮのうち最も優先度の高いＰＬＭＮを選択する、そして、
選択されたＰＬＭＮの中で、適切なセルを探索して選択する。
もし適切なセルが見いだされない場合には、ＵＥは選択の手順を再び新たに始める。すなわち、利用可能なＰＬＭＮを求めてスキャンを行う。しかし今回のスキャンは、前回に適切なセルの見つからなかったＰＬＭＮに対しては行わない。
【００２６】
従来のＰＬＭＮ選択手順は上記したような欠点を持つ。従来のＰＬＭＮ選択手順は、選択したＰＬＭＮの中で適切なセルを探索して選択するのに、受け入れがたいほどの長い時間を要するばかりでなく、ＵＥは、現在のＰＬＭＮを離れたときに、適切なセルのないＰＬＭＮを探索する可能性がある。
【００２７】
利用可能なＰＬＭＮであり優先度がより高いが、適切なセルがないＰＬＭＮを選択してしまうのを回避するために、ＵＥのプロセッサ３０２が実行する従来のＰＬＭＮ選択手順を、図４の流れ図に示すＰＬＭＮ選択の方法で置き換えることができる。この方法は、適切なセルがないＰＬＭＮを選択してしまうことを回避することにより、ネットワークサービスの中断を回避する方法として、他の方法より有利である。
【００２８】
ステップ４００において、ＵＥは利用可能なＰＬＭＮを求めてスキャンを行い、それにより利用可能な１つ以上のＰＬＭＮのリストを作る。ステップ４０２では、ＵＥは利用可能な１つのＰＬＭＮを取り出し、ステップ４０４では、ＵＥは、取り出した利用可能なＰＬＭＮの中の少なくとも１つのセルのシステム情報を読み取る。セル内の報知チャンネルで送信されたセルのシステム情報を読み込む際に、ＵＥは、Ｑｑｕａｌｍｉｎ、Ｓｒｘｌｅｖｍｉｎ、および、ＵＥ＿ＴＸＰＷＲ＿ＭＡＸ＿ＲＡＣＨといったパラメータを得る。これらのパラメータは、特定のセルに有効で、上記で説明したようにセル選択基準Ｓを評価するのに必要である。ステップ４０６では、読み取ったシステム情報に基づいてセル選択基準が評価され、もし、セル選択基準が満足されない場合は、そのＰＬＭＮは利用可能なＰＬＭＮのリストから削除される。
【００２９】
ステップ４０４と４０６は、従来の選択手順では実行されないことを当業者は認識するであろう。ここでは、ＵＥが（最終的に）ＰＬＭＮを選択する前に、それぞれの利用可能なＰＬＭＮに対して、ステップ４０４と４０６が実行されることが、まさに重要なのである。ＵＥが最終的に選択するＰＬＭＮは、典型的には、登録後にサービスを提供するＰＬＭＮになる。従来の選択手順でなければ、ステップ４０４と４０６を早い段階で行うこともできる。利用可能なＰＬＭＮに２つ以上の適切なセルがあるときには、その適したセル全て対してステップ４０４または４０６を実行することは、必ずしも必要でないことも注記されてもよい。
【００３０】
もし、利用可能なＰＬＭＮとして、まだいくつかが残っていれば（ステップ４０８におけるＹｅｓ）、流れ（フロー）はステップ４０２に戻り、そして、ＰＬＭＮの取り出し、システム情報の読み取り、および、セル選択基準の評価のステップが、残っているＰＬＭＮに対して繰り返される。もし、利用可能なＰＬＭＮが残っていなければ（ステップ４０８におけるＮｏ）、最も高い優先度を持つＰＬＭＮが選択される（ステップ４１０）。ステップ４０６を通して、適切なセル、すなわち、セル選択基準を満足するセルを持つＰＬＭＮを選択することができる。
【００３１】
ＰＬＭＮを選択した後に、ＵＥは、その選択したＰＬＭＮの中でセルの探索を行う（ステップ４１２）。この探索は、システム情報が読み取られてセル選択基準の評価のために使われたセルから始めなくともよい。
【００３２】
図４に示されたＰＬＭＮ選択の方法は、多くの利点を持っている。例えば、ＵＥがあるＰＬＭＮの上にあって、かつ、より優先度の高いＰＬＭＮに属するセルの境界上にある時は、受信信号の強度と品質が選択基準Ｓを満足しないので、ＵＥは、選択するのを許されることなく、そのセルを繰り返し「見る」ことになるであろう。ＰＬＭＮスキャンは、典型的には、６分おきに行われる。そして、このような環境では、より優先度の高いＰＬＭＮを選択することは、ＵＥにとって時間と電力を消耗する仕事である。この場合、ＵＥは、「見た」セルが適切でないことを、セル選択基準を評価した後に知るばかりである。
ＰＬＭＮスキャンの間に記憶したセルパラメータを用いてのセル選択基準の評価
ＰＬＭＮのスキャンを行ういくつかの実施形態では、ＵＥが、例えばＧＳＭのようなセルの上に駐留（キャンプ）している時には、ＰＬＭＮスキャンの間にシステム情報を読み取ることが許されないかもしれない。このことにより、セル選択基準Ｓの評価は、ＰＬＭＮ選択を行っている間にはできなくなってしまうであろう。このような場合には、ＵＥが、セルの選択／再選択過程を完了し、サービスを受けるべきセルを選択したあとに、ＵＥがセル上に「駐留する」ようにするのがよいと理解されるであろう。
【００３３】
報知されるシステム情報は、あまり頻繁には変化しないので、ＵＥは、可能なときにシステム情報を読み取り、そしてそれを、ローカルメモリー３０４、３０６に記憶しておくのが有利だろう。従って、従来のＰＬＭＮ選択の方法は、図５の流れ図に示すＰＬＭＮ選択の方法によって置き換えるのが有利である。
【００３４】
ステップ５００では、ＵＥは利用可能なＰＬＭＮを求めてスキャンを行い、それによって利用可能な１つ以上のＰＬＭＮのリストを作る。そして、ステップ５０２において、ＵＥはリストから１つのＰＬＭＮを取り出す。ステップ５０４において、そのＰＬＭＮの中の１つのセル、または複数のセルに対するシステム情報をＵＥのメモリーに記憶させるかどうかを決める。もし、システム情報が記憶されない場合は（ステップ５０４におけるＮｏ）、ＵＥは取り出したそのＰＬＭＮの中の少なくとも１つのセルのシステム情報を読み取る（ステップ５０６）。そして、ＵＥは、読み取った情報を記憶してもよい（ステップ５０８）。もし、そのＰＬＭＮが１つ以上の読み取り可能なセルを持っている場合には、全ての読み取り可能なセルに対して、ステップ５０６を実行する必要はないと理解してもよい。もし、システム情報がＵＥの中に記憶されれば（ステップ５０４におけるＹｅｓ）、記憶されたシステム情報は検索される（ステップ５１０）。どちらの場合も、システム情報はセル選択基準Ｓを評価するのに用いられる（ステップ５１２）。
【００３５】
セル内の報知チャンネルの上で送信されたセルのシステム情報を読み取る時に、または、既に読み取ってあるシステム情報を検索する時に、ＵＥは、Ｑｑｕａｌｍｉｎ、Ｓｒｘｌｅｖｍｉｎ、および、ＵＥ＿ＴＸＰＷＲ＿ＭＡＸ＿ＲＡＣＨ、などのパラメータを得る。上記で説明したように、これらのパラメータは、それぞれのセルに有効で、セル選択基準Ｓを評価するために必要である。ステップ５１２では、読み取った、または検索したシステム情報に基づいてセル選択基準が評価される。そして、セル選択基準を満足しなければ、選択されたＰＬＭＮは利用可能なＰＬＭＮのリストから削除される。
【００３６】
もし、取り出すべき利用可能なＰＬＭＮが、まだあると判定されると（ステップ５１４におけるＹｅｓ）、流れ図の流れは、ステップ５０２に戻る。もし、それがなければ（ステップ５１４におけるＮｏ）、最も高い優先度を持つ利用可能なＰＬＭＮが選択される（ステップ５１６）。ステップ５１２を通して、適切なセル、すなわち、セル選択基準を満足するセルを持つＰＬＭＮを選択することができる。
【００３７】
ＰＬＭＮを選択した後に、ＵＥは、選択されたＰＬＭＮの中のセルの探索を行う（ステップ５１８）。この探索は、システム情報が読み取られてセル選択基準の評価に用いられたセルから始める必要は必ずしもない。
【００３８】
ステップ５０６、５１０、および５１２は、従来のＰＬＭＮ選択過程では実行されないこと、ＵＥが（最終的に）ＰＬＭＮを選択する前に、それぞれのＰＬＭＮに対して、これらのステップが実行されることが大切であること、ここに、ＵＥが最終的に選択するＰＬＭＮは、典型的には、登録後にサービスを提供するＰＬＭＮになること、以上のことを当業者は、以前と同様に、認識するであろう。これらのステップは、従来のＰＬＭＮ選択過程の最初またはその付近のステップに含めて行うこともできる。
【００３９】
上記で説明したように、ＵＥは、ＰＬＭＮの選択の際には、利用可能なＰＬＭＮを求めてスキャンすることから始める。セル選択基準の評価は、このスキャンの間に利用可能なＰＬＭＮが見いだされたときに、それぞれ行ってもよいし、また、図４と図５に示すように、全ての利用可能なＰＬＭＮが見いだされた後に行ってもよい、と理解されるであろう。
【００４０】
報知されたセルパラメータとその他のシステム情報は、下記に示す２つ構成のうちの少なくとも１つに従ってＵＥメモリー３０４、３０６に記憶させるのも有利である。
【００４１】
ＰＬＭＮとＵＡＲＦＣＮ。ここに、ＵＡＲＦＣＮは、３ＧＰＰ  ＴＳ  ２１．９０５、３ＧＰＰ仕様書での用語（Ｖｏｃａｂｕｌａｒｙ  ｆｏｒ  ３ＧＰＰ  Ｓｐｅｃｉｆｉｃａｔｉｏｎｓ）、Ｖ６．８．０（リリース６）（２００５年３月）の中で引用されているＵＴＲＡ絶対無線周波数チャンネル番号（ＵＴＲＡ  Ａｂｕｓｏｌｕｔｅ  Ｒａｄｉｏ  Ｆｒｅｑｕｅｎｃｙ  Ｃｈａｎｎｅｌ  Ｎｕｍｂｅｒ）のことである。および、
ＰＬＭＮとＵＡＲＦＣＮと第１次スクランブルコード（プライマリースクランブリングコード）。プロセッサ３０２は、それぞれの記録を、ＰＬＭＮの識別番号、ＵＡＲＦＣＮ、および第１次スクランブルコードのうちの１つ以上とともに記憶するだけで、メモリー３０４、３０６の中にそのような構成を作ることができる。これらは全て整数である。
【００４２】
さらに、システム情報が時期遅れになるのを防ぐために、メモリーによる記憶は、ある限られた数の要素しか持たないメモリー３０４、３０６の中では、ファーストイン・ファーストアウト（ＦＩＦＯ）の構成にするか、または、記憶されたシステム情報がある所定の時間の経過後には削除されるようにタイマーにより監視するようにする、ことができる。現在、よりよいと信じられている手段は、タイマーによる監視である。タイマー監視によって、セル当たりのパラメータとして、極力少ない数のパラメータで対処でき、古いデータを用いる危険性を最小にできる。また、これにより、セル識別情報（ＵＡＲＦＣＮ／第１次スクランブルコード）の再使用が可能になる。
【００４３】
図３〜図５で示した装置と方法は、下記に示す多くの同じ利点を共有していることが認識されるであろう。例えば、ＵＥが、ＶＰＬＭＮの中で、適切なセルとしては品質の低すぎるセルを持つＰＬＭＮを、優先度の高いＰＬＭＮとして検知してしまい、それが故に被るサービス中断の危険性を回避／低減することができること、また、より高い優先度のＰＬＭＮを求めてスキャンする際に、セルの適切さを評価するために消費するエネルギーを低減することができること、が利点である。
【００４４】
本発明は、例えば、移動通信デバイスを含む広い種々の環境下で実施できることが期待される。上記で説明した手順は必要に応じて繰り返し実行するとよいであろう。理解を容易にするために、本発明の異なった視点から見た多くの実施形態が、例えばプログラム可能なコンピュータシステムの構成要素によって実行される、一連の時系列の行動により描かれている。種々の行動は、特別に設計された回路（例えば、ある特別な機能を実行するために相互接続された個別論理ゲート、または、個々の応用に特化した集積回路）によって、または、１つ以上のプロセッサによって実行されるプログラム命令によって、または、それらの組み合わせによって、実行可能であろうと認識されるだろう。多くの通信デバイスは、プログラム可能なプロセッサ、および、応用に特化した集積回路を用いて、ここで説明をしたコンピュータ操作、および、判定を容易に遂行することができる。
【００４５】
さらに、ここで説明した発明は、一連の適切なるコンピュータプログラムを記憶した、コンピュータで読み取り可能な記憶媒体の中で完全に実施されると考えてよい。コンピュータで読み取り可能な記憶媒体はいかなる形のものでもよい。また、一連のコンピュータプログラムは、命令と実行を行うシステム、装置、またはデバイスによって、または、それらに関連して、実行される。ここでの命令と実行を行うシステム、装置、またはデバイスとは、コンピュータを基本としたシステム、プロセッサを含んだシステム、またはその他の、媒体から命令を取り込みそれを実行するシステムのことである。ここでの「コンピュータで読み取り可能な記憶媒体」とは、命令と実行を行うシステム、装置、またはデバイスによって用いられる、またはそれらに関連して用いられる、プログラムを、包含、記憶、通信、伝搬、または輸送することのできるいかなる手段であってもよい。コンピュータで読み取り可能な記憶媒体は、例えば、電子的な、磁気的な、光学的な、電磁的な、赤外の、または、半導体を用いた、システム、装置、デバイス、または伝搬媒体であってもよい。また、これらに限るものでもない。コンピュータで読み取り可能な記憶媒体のさらなる個々の例（網羅的なリストではない）は、１本以上のワイヤを持つ電気的な接続、可搬形のコンピュータ用ディスケット、ＲＡＭ、ＲＯＭ、消去書き込み可能リードオンリーメモリー（ＥＰＲＯＭまたはフラッシュメモリー）、および、光ファイバを含む。
【００４６】
このように、本発明は、多くの異なった形態で実施されてよいが、すべての実施形態が上記で説明されたわけではない。そして、そのようなすべての形態は本発明の範囲の中にあると考えてよい。本発明の異なったそれぞれの視点を実現する手段として、ここで示したいかなる形態も、上記で説明した行動を「実行すべく構成された論理」または、「実行する論理」であると言うことができる。
【００４７】
ここで強調されるべきは、本発明において用いられている「備える」および「備えている」という言葉は、言及された特徴、全体、ステップ、または、要素の存在を特定するものであって、その他の特徴、全体、ステップ、または要素、およびそれらのグループの存在、またはそれらの付加を排除するものではない。
【００４８】
上記で説明した特別な実施形態は、単に例示するものであって、いかなる限定をもするものではないと考えるべきである。本発明の範囲は特許請求の範囲の中で確定され、特許請求の範囲の中に入るすべての変形や等価な形態は本発明の中に包含される。
【図面の簡単な説明】
【００４９】
【図１】複数の公衆移動通信網を含む通信ネットワークを示した図である。
【図２】複数の基地局を含む公衆陸上移動ネットワークを示した図である。
【図３】移動局のブロック図である
【図４】本発明の観点に従ってＰＬＭＮを選択する方法を示す流れ図である。
【図５】本発明の観点に従ってＰＬＭＮを選択する他の方法を示す流れ図である。
【図１】
2008543136.tif 000003
【図２】
2008543136.tif 000004
【図３】
2008543136.tif 000005
【図４】
2008543136.tif 000006
【図５】
2008543136.tif 000007
【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
移動先の公衆移動通信網（ＰＬＭＮ）において、複数の利用可能なＰＬＭＮからの選択を行うユーザ装置の方法であって、各ＰＬＭＮは少なくとも一つのセルを備え、
利用可能なＰＬＭＮを求めてスキャンするステップと、
利用可能なＰＬＭＮを取り出すステップと、
前記取り出された利用可能なＰＬＭＮにおいて、ランダムアクセスチャネル上の前記セルへアクセスするために、前記セルの最小要求品質レベルと、前記セルの最小要求受信レベルと、最大送信電力レベルとを含む、少なくとも一つのセルのシステム情報を読み取るステップと、
前記読み込まれたシステム情報に基づきセル選択基準を評価するステップと、
残っている利用可能なＰＬＭＮのために、前記取り出されたステップ、前記読み込みステップ、前記評価ステップを繰り返すステップと、
最も優先度が高く前記選択基準を満たすセルを有する利用可能なＰＬＭＮを選択するステップと、
を含む方法。
【請求項２】
前記最も優先度が高く前記選択基準を満たすセルを有する利用可能なＰＬＭＮの選択の後、更に前記選択されたＰＬＭＮにおけるセルを探すステップを含む、請求項１に記載の方法。
【請求項３】
前記利用可能なＰＬＭＮを求めてスキャンするステップに、利用可能なＰＬＭＮのリストを決定するステップが含まれ、前記取り出された利用可能なＰＬＭＮにおいて前記少なくとも一つのセルが前記セル選択基準を満たさない場合、前記取り出された利用可能なＰＬＭＮを前記リストから削除するステップが、前記評価ステップに含まれることを特徴とする、請求項１に記載の方法。
【請求項４】
前記利用可能なＰＬＭＮを求めてスキャンするステップを実行する前に、前記システム情報がメモリーに記憶され、前記メモリーから前記システム情報を読み取るステップが、前記読み込みステップに含まれることを特徴とする、請求項１に記載の方法。
【請求項５】
前記システム情報が各々のＰＬＭＮに従って、絶対無線周波数チャネル番号と主要スクランブルコードの少なくとも一つ以上とともに、前記システム情報が前記メモリーに記憶されることを特徴とする、請求項４に記載の方法。
【請求項６】
前記メモリーに記憶された前記システム情報が、ある所定の時間経過後削除されるか、またはファーストイン・ファーストアウト（ＦＩＦＯ）により記憶処理されることを特徴とする、請求項４に記載の方法。
【請求項７】
移動先の公衆移動通信網（ＰＬＭＮ）において、複数の利用可能なＰＬＭＮからの選択を行うユーザ装置の機器であって、各ＰＬＭＮは少なくとも一つのセルを備え、
利用可能なＰＬＭＮを求めてスキャンし、
利用可能なＰＬＭＮを取り出し、
前記取り出された利用可能なＰＬＭＮにおいて、ランダムアクセスチャネル上の前記セルへアクセスするために、前記セルの最小要求品質レベルと、前記セルの最小要求受信レベルと、最大送信電力レベルとを含む、少なくとも一つのセルのシステム情報を読み込み、
前記読み込まれたシステム情報に基づきセル選択基準を評価し、
残っている利用可能なＰＬＭＮのために、前記取り出しステップ、前記読み込みステップ、前記評価ステップを繰り返し、
最も優先度が高く前記選択基準を満たすセルを有する利用可能なＰＬＭＮを選択する、
プロセッサを含むことを特徴とする機器。
【請求項８】
前記最も優先度が高く前記選択基準を満たすセルを有する利用可能なＰＬＭＮが選択された後、更に、前記プロセッサが前記選択されたＰＬＭＮにおけるセルを探すことを特徴とする、請求項７に記載の機器。
【請求項９】
前記プロセッサが、利用可能なＰＬＭＮを求めてスキャンし、利用可能なＰＬＭＮのリストを決定し、また前記取り出された利用可能なＰＬＭＮにおいて前記少なくとも一つのセルが前記セル選択基準を満たさない場合、前記リストから前記取り出された利用可能なＰＬＭＮを削除するために、前記セル基準を評価することを特徴とする、請求項７に記載の機器。
【請求項１０】
前記プロセッサが、前記利用可能なＰＬＭＮを求めてスキャンする前に、前記システム情報がメモリーに記憶し、前記メモリーから前記システム情報を読み取ることを特徴とする、請求項７に記載の機器。
【請求項１１】
前記システム情報が各々のＰＬＭＮに従って、絶対無線周波数チャネル番号と主要スクランブルコードの少なくとも一つ以上とともに、前記システム情報が前記メモリーに記憶することを特徴とする、請求項１０に記載の機器。
【請求項１２】
前記プロセッサが、前記メモリーに記憶された前記システム情報を、ある所定の時間経過後削除するか、またはファーストイン・ファーストアウト（ＦＩＦＯ）により記憶処理することを特徴とする、請求項１０に記載の機器。
【請求項１３】
移動先の公衆移動通信網（ＰＬＭＮ）において、複数の利用可能なＰＬＭＮからの選択を、受信機に行わせるためのコンピュータプログラムを含むコンピュータ可読の記憶媒体であって、各ＰＬＭＮは少なくとも一つのセルを備え、該コンピュータプログラムが、
利用可能なＰＬＭＮを求めてスキャンするステップと、
利用可能なＰＬＭＮを取り出すステップと、
前記取り出された利用可能なＰＬＭＮにおいて、ランダムアクセスチャネル上の前記セルへアクセスするために、前記セルの最小要求品質レベルと、前記セルの最小要求受信レベルと、最大送信電力レベルとを含む、少なくとも一つのセルのシステム情報を読み取るステップと、
前記読み込まれたシステム情報に基づきセル選択基準を評価するステップと、
残っている利用可能なＰＬＭＮのために、前記抽出ステップ、前記読み込みステップ、前記評価ステップを繰り返すステップと、
最も優先度が高く前記選択基準を満たすセルを有する利用可能なＰＬＭＮを選択するステップと、
を履行することを特徴とするコンピュータ可読の記憶媒体。
【請求項１４】
前記最も優先度が高く前記選択基準を満たすセルを有する利用可能なＰＬＭＮの選択の後、更に前記選択されたＰＬＭＮにおけるセルを探すステップを、前記コンピュータプログラムが、更に履行することを特徴とする請求項１３に記載のコンピュータ可読の記憶媒体。
【請求項１５】
前記利用可能なＰＬＭＮを求めてスキャンするステップに、利用可能なＰＬＭＮのリストを決定するステップが含まれ、前記取り出された利用可能なＰＬＭＮにおいて前記少なくとも一つのセルが前記セル選択基準を満たさない場合、前記取り出された利用可能なＰＬＭＮを前記リストから削除するステップが、前記評価ステップに含まれることを特徴とする、請求項１３に記載のコンピュータ可読の記憶媒体。
【請求項１６】
前記利用可能なＰＬＭＮを求めてスキャンするステップを実行する前に、前記システム情報がメモリーに記憶され、前記メモリーから前記システム情報を読み取るステップが、前記読み込みステップに含まれることを特徴とする、請求項１３に記載のコンピュータ可読の記憶媒体。
【請求項１７】
前記システム情報が各々のＰＬＭＮに従って、絶対無線周波数チャネル番号と主要スクランブルコードの少なくとも一つ以上とともに、前記システム情報が前記メモリーに記憶されることを特徴とする、請求項１６に記載のコンピュータ可読の記憶媒体。
【請求項１８】
前記メモリーに記憶された前記システム情報が、ある所定の時間経過後削除されるか、またはファーストイン・ファーストアウト（ＦＩＦＯ）により記憶処理されることを特徴とする、請求項１６に記載のコンピュータ可読の記憶媒体。
【国際調査報告】
2008543136.tif 000008
2008543136.tif 000009